Podtech/llm-jp-corpus-v4-ja_patent huggingface dataset:
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
圧縮機器を備える圧縮器装置であって、
前記圧縮機器は、
規定の容積を備えた圧縮室（４）であって、その内部では、気密性で且つ液密性の弾性膜（６）が、前記圧縮室（４）を、作動ガス（１０）を有するガス容積（８）と、作動液体（１４）を有する液体容積（１２）とに分ける、圧縮室（４）と、
前記ガス容積（８）に引き込まれる作動ガス接続部（２０、２２、４０）と、
ポンプ作用によって前記作動液体（１４）を定期的に前記液体容積（１２）に圧入し、その結果として前記ガス容積（８）内における前記作動ガス（１０）を定期的に圧縮するポンプ機器（２４）と、
を含み、
前記弾性膜は、バルーン（６）として又はベローズとして構成され、前記バルーン（６）又は前記ベローズは、前記ガス容積（８）を取り巻く、ことを特徴とする圧縮器装置。
【請求項２】
請求項１に記載の圧縮機器であって、
前記ポンプ機器（２４）は、前記作動液体のための補償機器（２８）に接続される、ことを特徴とする圧縮機器。
【請求項３】
請求項１〜２のいずれか一項に記載の圧縮機器であって、
前記作動ガス接続部は第１の作動ガス接続部（２０）と第２の作動ガス接続部（２２）とを含み、前記第２の作動ガス接続部（２２）は、前記ガス容積（８）内に開き、前記第１の作動ガス接続部（２０）は、高圧力出口として構成され、前記第２の作動ガス接続部（２２）は、低圧力入口として構成される、ことを特徴とする圧縮機器。
【請求項４】
請求項１〜３のいずれか一項に記載の圧縮機器であって、
前記圧縮室（４）内の前記ガス容積（８）は、第３の作動ガス接続部（５２）を介して作動ガス貯蔵器（５０）に接続される、ことを特徴とする圧縮機器。
【請求項５】
請求項４に記載の圧縮機器であって、
前記作動ガス貯蔵器（５０）は、差圧調整器（５４）を介して前記圧縮室（４）内の前記ガス容積（８）に接続される、ことを特徴とする圧縮機器。
【請求項６】
請求項４又は５に記載の圧縮機器であって、
前記作動ガス貯蔵器（５０）は、過圧弁（５８）を介し、前記圧縮室（４）内の前記ガス容積（８）に接続される、ことを特徴とする圧縮機器。
【請求項７】
請求項１〜６のいずれか一項に記載の圧縮機器であって、
前記ポンプ機器（２４）は、電気駆動部（３２）を含む、ことを特徴とする圧縮機器。
【請求項８】
請求項１〜７のいずれか一項に記載の圧縮機器であって、
前記ポンプ機器（２４）は、ギアポンプ（３０）を含む、ことを特徴とする圧縮機器。
【請求項９】
請求項１〜８のいずれか一項に記載の圧縮機器であって、
前記作動液体（１４）は、油圧油又は水である、ことを特徴とする圧縮機器。
【請求項１０】
請求項１〜９のいずれか一項に記載の圧縮機器であって、
前記作動ガス（１０）は、ヘリウム又は窒素である、ことを特徴とする圧縮機器。
【請求項１１】
請求項１〜１０のいずれか一項に記載の圧縮機器であって、
前記バルーン又は前記ベローズとして構成された前記弾性膜は、複数の層で形成される、ことを特徴とする圧縮機器。
【請求項１２】
請求項１〜１１のいずれか一項に記載の圧縮機器と、
ギフォード・マクマホン冷却器又はパルス管冷却器と、
を備える冷却機器であって、
前記圧縮機器（２）は、前記ギフォード・マクマホン冷却器又は前記パルス管冷却器に連結される、冷却機器。
【請求項１３】
請求項１２に記載の冷却機器であって、
前記圧縮機器（２）は、高圧力接続部（２０）を含み、前記ギフォード・マクマホン冷却器又は前記パルス管冷却器は、前記圧縮機器（２）の前記高圧力接続部（２０）に接続される、ことを特徴とする冷却機器。
【請求項１４】
請求項１３に記載の冷却機器であって、
前記圧縮機器（２）は、低圧力接続部（２２）を含み、前記ギフォード・マクマホン冷却器又は前記パルス管冷却器は、前記圧縮機器（２）の前記低圧力接続部（２２）に接続される、ことを特徴とする冷却機器。
【請求項１５】
請求項１〜１２のいずれか一項に記載の圧縮機器と、
蒸発器と、
凝縮器と、
を備え、特に従来の冷凍機のための、圧縮器冷凍機。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
サラセミア障害の処置における使用のための、単離されたトランスフェリンレセプター（ＴｆＲ１）アンタゴニストであって、
該トランスフェリンレセプターアンタゴニストは、
ｉ．単離された抗ＴｆＲ１抗体；
ｉｉ．前記抗ＴｆＲ１抗体の抗原結合部分
からなる群より選択され；及び、
前記抗体又はその抗原結合部分が、トランスフェリンレセプターに対するトランスフェリンの結合を競合的に阻害する、
単離されたトランスフェリンレセプター（ＴｆＲ１）アンタゴニスト。
【請求項２】
β−サラセミアの処置における使用のための、請求項１に記載の単離されたＴｆＲ１アンタゴニスト。
【請求項３】
ハイブリドーマＣＮＣＭ  Ｉ−２６６５によって得られるＡ２４抗体であるか、又はＡ２４抗体の抗原結合部分である、請求項１又は２に記載の使用のための単離されたＴｆＲ１アンタゴニスト。
【請求項４】
前記抗ＴｆＲ１抗体はヒト化抗体である、請求項１〜３のいずれか一項に記載の使用のための単離されたＴｆＲ１アンタゴニスト。
【請求項５】
Ａ２４抗体と同じエピトープについて競合する単離された抗ＴｆＲ１抗体であるか、又は前記抗ＴｆＲ１抗体の抗原結合部分である、請求項１〜４のいずれか一項に記載の使用のための単離されたＴｆＲ１アンタゴニスト。
【請求項６】
少なくとも薬学的に許容しうる賦形剤、希釈剤又は担体と組み合わせて、サラセミア障害を処置するのに使用するための、請求項１〜５のいずれか一項に記載のＴｆＲ１アンタゴニストを含む、医薬組成物。
【請求項７】
他の有効成分をさらに含む、請求項６に記載の医薬組成物。
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
損傷組織を有する個体において組織を再生するための組成物であって、
前記組成物が、心筋球（ｃａｒｄｉｏｓｐｈｅｒｅ）または心筋球由来細胞（ＣＤＣ）から回収された複数のエキソソームを含み、
前記エキソソームが１以上のマイクロＲＮＡ断片を含み、
前記組成物の投与後、前記１以上のマイクロＲＮＡ断片が前記損傷組織において遺伝子発現を改変し、前記損傷組織の生存能力を改善し、前記個体において新しい組織の形成を容易にする、
組成物。
【請求項２】
前記損傷組織が心臓組織を含む、請求項１に記載の組成物。
【請求項３】
前記１以上のマイクロＲＮＡ断片が、ｍｉＲ−２６ａ、ｍｉＲ２７−ａ、ｌｅｔ−７ｅ、ｍｉｒ−１９ｂ、ｍｉＲ−１２５ｂ、ｍｉｒ−２７ｂ、ｌｅｔ−７ａ、ｍｉＲ−１９ａ、ｌｅｔ−７ｃ、ｍｉＲ−１４０−３ｐ、ｍｉＲ−１２５ａ−５ｐ、ｍｉＲ−１５０、ｍｉＲ−１５５、ｍｉｒ−２１０、ｌｅｔ−７ｂ、ｍｉＲ−２４、ｍｉＲ−４２３−５ｐ、ｍｉＲ−２２、ｌｅｔ−７ｆ、ｍｉＲ−１４６ａおよびこれらの組み合わせからなる群から選択される、請求項１または２に記載の組成物。
【請求項４】
前記１以上のマイクロＲＮＡ断片がｍｉＲ−１４６ａおよびｍｉＲ−２１０を含む、請求項１から３のいずれか一項に記載の組成物。
【請求項５】
前記エキソソームが、ヒト非胚性再生細胞の遠心分離により得られる、請求項１から４のいずれか一項に記載の組成物。
【請求項６】
前記エキソソームが、ヒト非胚性再生細胞のサイズ排除ろ過により得られる、請求項１から５のいずれか一項に記載の組成物。
【請求項７】
前記エキソソームが直径約２０ｎｍから約９０ｎｍである、請求項１から６のいずれか一項に記載の組成物。
【請求項８】
心筋球または心筋球由来細胞（ＣＤＣ）の集団をさらに含む、請求項１から７のいずれか一項に記載の組成物。
【請求項９】
前記心筋球または心筋球由来細胞（ＣＤＣ）が、前記個体に対して自己由来である、請求項１から８のいずれか一項に記載の組成物。
【請求項１０】
前記心筋球または心筋球由来細胞（ＣＤＣ）が、前記個体に対して同種異系である、請求項１から８のいずれか一項に記載の組成物。
【請求項１１】
前記エキソソームが、前記組織の再生および／または機能改善を容易にする少なくとも１つのタンパク質をさらに含む、請求項１から１０のいずれか一項に記載の組成物。
【請求項１２】
損傷または罹患した心臓組織の修復または再生のための組成物であって、
心臓幹細胞の集団から単離された複数のエキソソームを含み、
前記心臓幹細胞が心筋球由来細胞の集団を含み、
前記エキソソームが少なくとも１つのマイクロＲＮＡを含み、
前記マイクロＲＮＡがｍｉＲ−１４６ａ、ｍｉＲ−２２、ｍｉＲ−２４、およびｍｉＲ−２６ａからなる群から選択され、ならびに
損傷または罹患した心臓組織を有する対象に対する投与において、前記エキソソームが心臓細胞の生存能力、心臓細胞の増殖および心臓細胞の機能の１以上を増加させる、
組成物。
【請求項１３】
エキソソームを作製する方法であって、
ヒト非胚性再生細胞の集団を得るステップ、
前記ヒト非胚性再生細胞の集団を培養するステップ、
前記ヒト非胚性再生細胞の培養集団をヒドロラーゼ酵素に曝露して、細胞のエキソソーム分泌を誘導し、それによってエキソソームを作製するステップ、および
前記分泌されたエキソソームを回収するステップ、
を含む方法。
【請求項１４】
前記ヒドロラーゼが、酵素のＤＮＡｓｅ  Ｉスーパーファミリーのメンバーを含む、請求項１３に記載の方法。
【請求項１５】
前記ヒドロラーゼがスフィンゴミエリナーゼを含む、請求項１３または１４に記載の方法。
【請求項１６】
前記スフィンゴミエリナーゼが、リソソーム酸性スフィンゴミエリナーゼ、分泌型亜鉛依存性酸性スフィンゴミエリナーゼ、中性スフィンゴミエリナーゼおよびアルカリ性スフィンゴミエリナーゼからなる群から選択される型である、請求項１５に記載の方法。
【請求項１７】
前記中性スフィンゴミエリナーゼが、マグネシウム依存性中性スフィンゴミエリナーゼおよびマグネシウム非依存性中性スフィンゴミエリナーゼの１以上を含む、請求項１６に記載の方法。
【請求項１８】
前記中性スフィンゴミエリナーゼが、中性スフィンゴミエリナーゼＩ型、中性スフィンゴミエリナーゼ２型および中性スフィンゴミエリナーゼ３型の１以上を含む、請求項１６に記載の方法。
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
Ｉ型糖尿病の治療のために被験体に投与するために配合された、有効量のアポリポタンパク質Ａ−ＩＶまたはアポリポタンパク質Ａ−ＩＶに少なくとも９０％の同一性を有するその生物学的活性類似体を含む、薬学的組成物。
【請求項２】
被験体において糖新生が減少する、請求項１の薬学的組成物。
【請求項３】
インスリンと組み合わせて投与される、請求項１または２の薬学的組成物。
【請求項４】
インスリンが、当該薬学的組成物の投与の前に、それと同時に、またはそれに続いて投与される、請求項３の薬学的組成物。
【請求項５】
その生物学的活性類似体が、アポリポタンパク質Ａ−ＩＶに少なくとも９５％の同一性を有する、請求項１〜４のいずれか一項の薬学的組成物。
【請求項６】
その生物学的活性類似体が、アポリポタンパク質Ａ−ＩＶタンパク質に少なくとも９９％の同一性を有する、請求項１〜４のいずれか一項の薬学的組成物。
【請求項７】
被験体がヒトである、請求項１〜６のいずれか一項の薬学的組成物。
【請求項８】
アポリポタンパク質Ａ−ＩＶのアミノ酸配列が
【化１】
2015524808.tif 000001
式中、Ｘ１は、Ｇ、Ａ、Ｖであるかまたは存在せず；
Ｘ２はＥまたはＫであり；
Ｘ３はＴまたはＳであり；そして
Ｘ４はＱまたはＨである
である、請求項１〜７のいずれか一項の薬学的組成物。
【請求項９】
アポリポタンパク質Ａ−ＩＶが全長ヒト・アポリポタンパク質Ａ−ＩＶである、請求項１〜７のいずれか一項の薬学的組成物。
【請求項１０】
アポリポタンパク質Ａ−ＩＶのアミノ酸が、
【化２】
2015524808.tif 000002
である、請求項９の薬学的組成物。
【請求項１１】
アポリポタンパク質Ａ−ＩＶのアミノ酸配列が：
【化３】
2015524808.tif 000003
である、請求項１〜７のいずれか一項の薬学的組成物。
【請求項１２】
アポリポタンパク質Ａ−ＩＶ、またはその生物学的活性類似体が、グリコシル化されていない、請求項１〜１１のいずれか一項記載の薬学的組成物。
【請求項１３】
全身投与される、請求項１〜１２のいずれか一項記載の薬学的組成物。
【請求項１４】
全身投与が、経口、皮下、静脈内、筋内、および腹腔内投与からなる群より選択される、請求項１３記載の薬学的組成物。
【請求項１５】
約１〜約１０μｇ／ｇの用量で投与される、請求項１〜１４のいずれか一項記載の薬学的組成物。
【請求項１６】
約０．２５〜約２μｇ／ｇの用量で投与される、請求項１〜１４のいずれか一項記載の薬学的組成物。
【請求項１７】
約１μｇ／ｇの用量で投与される、請求項１〜１４のいずれか一項記載の薬学的組成物。
【請求項１８】
約１〜１０００ｍｇの固定用量として投与される、請求項１〜１４のいずれか一項記載の薬学的組成物。
【請求項１９】
１日１回投与する、請求項１〜１８のいずれか一項記載の薬学的組成物。
【請求項２０】
１日約２回投与する、請求項１〜１８のいずれか一項記載の薬学的組成物。
【請求項２１】
薬学的に許容されうるキャリアーまたは希釈剤をさらに含む、請求項１〜２０のいずれか一項記載の薬学的組成物。
【請求項２２】
液体配合物である、請求項１〜２１のいずれか一項記載の薬学的組成物。
【請求項２３】
水性配合物である、請求項１〜２２のいずれか一項記載の薬学的組成物。
【請求項２４】
水性配合物が発熱物質不含である、請求項２３の薬学的組成物。
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
広域スペクトル微生物の即時型および持続型両方の減少のための二重作用抗微生物製剤であって、
前記製剤の約０．１０重量％から約０．４０重量％の範囲の量の第四級アンモニウム塩であって、塩化ベンゼトニウム、塩化ベンザルコニウムまたはそれらの組み合わせを含む第四級アンモニウム塩と；
前記製剤の約０．２５重量％から約０．６０重量％の範囲の量のファルネソールと；
前記製剤の約０．０５重量％から約０．５重量％の範囲の量の酢酸トコフェロールと；
前記製剤の約０．０５重量％から約０．２０重量％の範囲の量のポリアミノプロピルビグアナイドと、を含み、
複数の微生物の少なくとも９９％を前記微生物との接触の２０秒以内に死滅させ、
前記製剤が、前記製剤適用の少なくとも４時間後に、前記複数の微生物の少なくとも９０％を死滅させるように作製され、
前記複数の微生物が、次のうち２以上：グラム陽性細菌、グラム陰性細菌、真菌およびウイルス、を含む、
製剤。
【請求項２】
前記製剤の約８重量％から約２０重量％の範囲の量のアルコールをさらに含む、請求項１に記載の製剤。
【請求項３】
前記製剤の約０．１０重量％から約０．４０重量％の範囲の量のグルコン酸クロルヘキシジンをさらに含む、請求項１または２に記載の製剤。
【請求項４】
前記製剤の約０．０５重量％から約０．２０重量％の範囲の量のヒドロキシエチルエチルセルロースをさらに含む、請求項１から３の何れか１項に記載の製剤。
【請求項５】
前記製剤の約０．０５重量％から約０．６０重量％の範囲の量の１以上の亜鉛塩をさらに含む、請求項１から４の何れか１項に記載の製剤。
【請求項６】
前記製剤の約０．２５重量％から約０．６０重量％の範囲の量のパンテノールをさらに含む、請求項１から５の何れか１項に記載の製剤。
【請求項７】
前記第四級アンモニウム塩が塩化ベンゼトニウムである、請求項１から６の何れか１項に記載の製剤。
【請求項８】
１以上のさらなる皮膚軟化薬化合物をさらに含む、請求項１から７の何れか１項に記載の製剤。
【請求項９】
ビタミンＡ、Ｂ、ＫおよびＣのうち１以上をさらに含む、請求項１から８の何れか１項に記載の製剤。
【請求項１０】
前記製剤の約０．０５重量％から約０．５重量％の範囲の量の精油をさらに含む、請求項１から９の何れか１項に記載の製剤。
【請求項１１】
約０．１から約０．８ｍＬの前記製剤の、広域スペクトル微生物を含む表面への適用により、即時型かつ持続型抗微生物効果が達成される、請求項１から１０の何れか１項に記載の製剤。
【請求項１２】
前記製剤の約０．０５重量％から約１．０重量％の範囲の量のポリクォータニウム−１０をさらに含む、請求項１から１１の何れか１項に記載の製剤。
【請求項１３】
前記複数の微生物が、グラム陽性およびグラム陰性細菌を含み、前記製剤が、前記微生物との接触２０秒以内に、グラム陽性およびグラム陰性細菌の両方の少なくとも９９％を死滅させ、前記製剤は、前記製剤の少なくとも適用４時間後に、グラム陽性およびグラム陰性細菌の両方の少なくとも９０％を死滅させるよう作製されている、請求項１から１２の何れか１項に記載の製剤。
【請求項１４】
前記製剤が、トリクロサン不含である、請求項１から１３の何れか１項に記載の製剤。
【請求項１５】
前記製剤が、前記製剤の約１．５重量％から約３．５重量％の範囲の量のグリセリンをさらに含む、請求項１から１４の何れか１項に記載の製剤。
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
EU番号付けによるFc領域の位置279、285又は287がシステインである、IgG CH2及びCH3領域を含む抗体若しくは融合タンパク質、又は、位置309がシステインである、配列番号:16を含む抗体であって、
前記CH3領域は、C末端でヒトμ尾部と結合し、
前記抗体又は融合タンパク質のユニットは、互いに異なるユニットでの前記位置のシステイン間のジスルフィド結合と、互いに異なるユニットでの前記μ尾部間のジスルフィド結合によって多量体を形成することができる、抗体又は融合タンパク質。
【請求項２】
前記IgG CH2及びCH3領域は、ヒトIgGである、請求項1に記載の抗体又は融合タンパク質。
【請求項３】
ヒトIgG CH1とヒンジ領域を更に含む、請求項1に記載の抗体又は融合タンパク質。
【請求項４】
前記ヒトIgG CH1、ヒンジ、CH2及びCH3領域は、ヒトIgG1、ヒトIgG2、ヒトIgG3又はヒトIgG4である、請求項2に記載の抗体又は融合タンパク質。
【請求項５】
死受容体ファミリータンパク質に特異的に結合して、前記タンパク質を有する細胞のアポトーシスを誘導する、又は、TNF受容体ファミリータンパク質に特異的に結合して、前記タンパク質を有する細胞のアポトーシス若しくは細胞活動停止を誘導する、請求項1の抗体又は融合タンパク質。
【請求項６】
前記重鎖定常領域に結合した単鎖Fvを含む単鎖抗体である、請求項1に記載の抗体又は融合タンパク質。
【請求項７】
請求項6に記載の単鎖抗体を複数個有する多重特異性抗体の構成要素であり、
複数のscFvは、種々のVH領域を有し、
複数の単鎖抗体は、互いに異なるユニットでの変異位置のシステイン間のジスルフィド結合と、互いに異なるユニットでの尾部間のジスルフィド結合を介して、多重特異性抗体に複合体化している、請求項6に記載の抗体。
【請求項８】
異種ポリペチドに結合した免疫グロブリン重鎖を含む融合タンパク質である、請求項1に記載の抗体又は融合タンパク質。
【請求項９】
複数の融合タンパク質を含む多重特異性複合体の構成要素であり、
前記融合タンパク質は、種々の異種ポリペチドを含む、請求項8に記載の融合タンパク質。
【請求項１０】
互いに異なるユニットでのμ尾部間のジスルフィド結合と前記位置のシステイン間のジスルフィド結合によって複合体化した融合タンパク質及び抗体を含む多特異性複合体である、請求項1に記載の抗体又は融合タンパク質。
【請求項１１】
前記抗体は、ヒト化、キメラ、ベニヤ化又はヒト抗体である、請求項1に記載の抗体。
【請求項１２】
受容体の細胞外ドメインに特異的に結合する、請求項1に記載の抗体又は融合タンパク質。
【請求項１３】
CD79a、CD30、DR5若しくはDR4に特異的に結合する抗体である、
又は、
TNF-α受容体、LFA-3若しくはIL-1受容体の細胞外ドメインを含む融合タンパク質である、
又は、
TRAILタンパク質を含む融合タンパク質である、
又は、
CD40、OX40、4-1BB、GITR若しくはCD27に特異的に結合する抗体である、請求項1に記載の抗体又は融合タンパク質。
【請求項１４】
請求項1から13のいずれかに記載の抗体又は融合タンパク質を含む医薬組成物。
【請求項１５】
癌の治療に使用するための、請求項1から14のいずれかに記載の抗体又は融合タンパク質。
【請求項１６】
免疫学的疾患の治療に使用するための、請求項1から15のいずれかに記載の抗体又は融合タンパク質。
【請求項１７】
抗体及び/又は融合タンパク質の多重特異性複合体を生産する方法であって、
a.  請求項1に記載の抗体及び/又は融合タンパク質を複数個エンコードしている1又は複数のベクターを細胞にトランスフェクションするステップと、
b.  前記多重特異性複合体を細胞培養物から単離するステップと、を有し、
前記抗体及び/又は融合タンパク質は、種々の特異性を有し、
前記抗体及び/又は融合タンパク質は、発現すると、前記変異位置のシステイン間のジスルフィド結合とμ尾部間のジスルフィド結合を介して多重特異性複合体に組み立てられる、方法。
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
体外式膜型人工肺を有する対象における血液凝固を抑制するおよび／または出血を防ぐための組成物であって、
血液凝固を抑制するおよび／または出血を防ぐために治療効果のある量の組換えアンチトロンビンを含む組成物。
【請求項２】
前記組換えアンチトロンビンが高マンノース型グリコシル化パターンを有する、請求項１記載の組成物。
【請求項３】
前記組換えアンチトロンビンが高フコース型グリコシル化パターンを有する、請求項１または２記載の組成物。
【請求項４】
前記組換えアンチトロンビンがＧａｌＮａｃ（Ｎ−アセチルガラクトサミン）を含む、請求項１から３いずれか１項記載の組成物。
【請求項５】
前記組換えアンチトロンビンが、遺伝子組換え的に(transgenically)産生されたアンチトロンビンである、請求項１から４いずれか１項記載の組成物。
【請求項６】
前記組換えアンチトロンビンが、ヤギにおいて遺伝子組換え的に産生されたものである、請求項５記載の組成物。
【請求項７】
前記組換えアンチトロンビンがＡＴｒｙｎ（登録商標）である、請求項１から６いずれか１項記載の組成物。
【請求項８】
前記組換えアンチトロンビンが１ｋｇ当たり６単位の投与量で投与されるものである、請求項１から７いずれか１項記載の組成物。
【請求項９】
前記組換えアンチトロンビンが１ｋｇ当たり８０単位の投与量で投与されるものである、請求項１から７いずれか１項記載の組成物。
【請求項１０】
前記組換えアンチトロンビンが１ｋｇ当たり２９５単位の投与量で投与されるものである、請求項１から７いずれか１項記載の組成物。
【請求項１１】
前記組換えアンチトロンビンが、体外膜型酸素供給の開始時に、血液中に存在するアンチトロンビン活性のレベルを維持するのに十分な投与量で投与されるものである、請求項１から７いずれか１項記載の組成物。
【請求項１２】
前記組換えアンチトロンビンが単回投与で投与されるものである、請求項１から１１いずれか１項記載の組成物。
【請求項１３】
前記組換えアンチトロンビンが、持続注入が後に続くボーラスにより投与されるものである、請求項１から１１いずれか１項記載の組成物。
【請求項１４】
ヘパリンをさらに含む、請求項１から１３いずれか１項記載の組成物。
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
ポリマーマトリックスおよび改変充填剤粒子を含む充填剤入りポリマー材料であって、前記改変充填剤粒子は、別個の機能性粒子で改変された充填剤粒子を含み、前記別個の機能性粒子は、前記充填剤に、それらが後の製造工程の間会合したままであることができるように十分に結合しているか、接着しているか、または別の方法で会合している、充填剤入りポリマー材料。
【手続補正２】
【補正対象書類名】明細書
【補正対象項目名】００３５
【補正方法】変更
【補正の内容】
【００３５】
ドライブレンドされた改変充填剤は、注型、溶融加工、粉末被覆、溶液加工、スリップキャスティング、テープキャスティング、振動締固め、圧縮成形、焼結、押出し、および射出成型などの液体プレポリマー以外のプロセスを用いてポリマーマトリックスと組み合わされ得る。
なお、本発明は、特許請求の範囲を含め、以下の発明を包含する。
１．ポリマーマトリックスおよび改変充填剤粒子を含む充填剤入りポリマー材料であって、前記改変充填剤粒子は、別個の機能性粒子で改変された充填剤粒子を含み、前記別個の機能性粒子は、前記充填剤に、それらが後の製造工程の間会合したままであることができるように十分に結合しているか、接着しているか、または別の方法で会合している、充填剤入りポリマー材料。
２．前記ポリマーマトリックスが、液体プレポリマーを含む、１に記載の充填剤入りポリマー材料。
３．前記ポリマーマトリックスが、液体プレポリマーから調製されるポリマーを含む、１に記載の充填剤入りポリマー材料。
４．前記別個の機能性粒子が、顔料粒子である、１に記載の充填剤入りポリマー材料。
５．前記材料が、固体表面材料である、４に記載の充填剤入りポリマー材料。
６．前記固体表面材料が、カウンタートップである、５に記載の充填剤入りポリマー材料。
７．前記固体表面材料が、シンクである、５に記載の充填剤入りポリマー材料。
８．前記固体表面材料が、建築用外装材である、５に記載の充填剤入りポリマー材料。
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
バイオマスの処理のための方法であって、バイオマスをイオン液体（ＩＬ）と混合して前記バイオマスを膨潤させることと、前記膨潤したバイオマスを電磁（ＥＭ）加熱することとを含む方法。
【請求項２】
前記バイオマスは、農業残渣、好ましくは（optionally）トウモロコシ茎葉、麦わら、バガス、もみ殻、もしくは稲わら；木材および森林残渣、好ましくは（optionally）マツ、ポプラ、ダグラスファー、オーク、おがくず、紙／パルプ廃棄物、もしくは木質繊維；藻類；葛；石炭；セルロース、リグニン、草本エネルギー作物、好ましくは（optionally）スイッチグラス、クサヨシ、もしくはススキ；好ましくは（optionally）リグニン、セルロース、およびヘミセルロースを含むリグノセルロース系バイオマス；植物バイオマス；またはそれらの混合物である、請求項１に記載の方法。
【請求項３】
加熱は、電磁（ＥＭ）加熱、好ましくは（optionally）電磁スペクトル内の可変周波数、可変周波数加熱、高周波（ＲＦ）加熱、またはそれらの組合せの適用を含む第１の段階、および超音波、電磁（ＥＭ）、対流、伝導加熱、またはそれらの組み合わせの適用を含む第２の段階の、少なくとも２つの段階を含む、請求項１に記載の方法。
【請求項４】
超音波、電磁（ＥＭ）、対流加熱、伝導加熱、またはそれらの組み合わせの前記適用は、少なくとも約３〜３０分、５〜３０分、または３〜４時間行われる、請求項３に記載の方法。
【請求項５】
前記高周波は、約１〜９００ＭＨｚ、３００ｋＨｚ〜３ＭＨｚ、３〜３０ＭＨｚ、３０〜３００ＭＨｚの間、１３、１３．５６、２７、２７．１２、４０、または４０．６８ＭＨｚの周波数を含む、請求項１に記載の方法。
【請求項６】
前記バイオマスは、少なくとも約１〜３００℃、５０℃〜１００℃、６０℃〜１３０℃、８０℃〜１７５℃、または１００℃〜２４０℃の温度まで加熱される、請求項１に記載の方法。
【請求項７】
処理されたバイオマスを洗浄することをさらに含む、請求項１に記載の方法。
【請求項８】
前記洗浄することは、前記バイオマスを、水および前記イオン液体（ＩＬ）と混和性であるセルロースに対する液体非溶媒で洗浄することを含む、請求項７に記載の方法。
【請求項９】
洗浄に使用される前記液体非溶媒は、水、アルコール、アセトニトリル、または、前記イオン液体（ＩＬ）を溶解し、それにより前記バイオマスから前記ＩＬを抽出する溶媒である、請求項８に記載の方法。
【請求項１０】
前記イオン液体は、活性炭処理、蒸留、膜分離、電気化学的分離技術、固相（ｓｏｌｄ−ｐｈａｓｅ）抽出  液−液抽出、またはそれらの組み合わせの１つ以上から選択される方法により、前記液体非溶媒から回収される、請求項９に記載の方法。
【請求項１１】
前記イオン液体は、前記イオン液体を脱水する電磁加熱、好ましくは（optionally）高周波加熱の適用により、前記液体非溶媒から回収される、請求項９に記載の方法。
【請求項１２】
前記バイオマスは、撹拌を伴うさらなる加熱、超音波加熱、電磁（ＥＭ）加熱、対流加熱、伝導加熱、マイクロ波照射、またはそれらの組み合わせに、好ましくは（optionally）加熱中の断続的な撹拌と共に供される、請求項１に記載の方法。
【請求項１３】
前記イオン液体は、アンモニウム、スルホニウム、ホスホニウム、リチウム、イミダゾリウム、ピリジニウム、ピコリニウム、ピロリジニウム、チアゾリウム、トリアゾリウム、オキサゾリウム、またはそれらの組み合わせを含むカチオン構造を含む、請求項１に記載の方法。
【請求項１４】
前記イオン液体は、イミダゾリウム、ピロリジニウム、ピリジニウム、ホスホニウム、アンモニウム、またはそれらの組み合わせから選択されるカチオンを含む、請求項１３に記載の方法。
【請求項１５】
前記イオン液体（ＩＬ）は、１−ｎ−ブチル−３−メチルイミダゾリウムクロリド、１−アリル−３−メチルイミダゾリウムクロリド、３−メチル−Ｎ−ブチルピリジニウムクロリド、１−エチル−３−メチルイミダゾリウムアセテート、１−エチル−３−メチルイミダゾリウムプロピオネート、またはそれらの組み合わせである、請求項１に記載の方法。
【請求項１６】
高周波（ＲＦ）加熱を受けている前記バイオマスの状態は、センサ、好ましくは（optionally）液体流量センサ、熱電対センサ、温度センサ、塩分センサ、またはそれらの組み合わせを用いて監視される、請求項１に記載の方法。
【請求項１７】
前記処理されたバイオマスを、生化学試薬、好ましくは（optionally）酵素で処理して、セルロースおよびヘミセルロースを糖、好ましくは（optionally）六炭糖および五炭糖に変換することをさらに含む、請求項１に記載の方法。
【請求項１８】
前記生化学試薬は、好熱性酵素、好ましくは（optionally）約７０℃まで活性である酵素である、請求項１７に記載の方法。
【請求項１９】
酵素を回収することをさらに含む、請求項１に記載の方法。
【請求項２０】
前記処理は、タンパク質およびリグニンを含む固体残渣を生成する、請求項１に記載の方法。
【請求項２１】
バイオマスの酸分解の方法であって、
（ａ）バイオマスをイオン液体（ＩＬ）中で混合して、前記バイオマスを膨潤させることと、
（ｂ）酸、好ましくは（optionally）硫酸、塩酸、硝酸、またはリン酸を添加し、好ましくは（optionally）前記バイオマスのｐＨをｐＨ７未満に、好ましくは（optionally）１〜６の間のｐＨに下げることと、
（ｃ）前記バイオマスに高周波（ＲＦ）加熱を適用して、標的温度範囲、好ましくは（optionally）５０〜２２０℃に加熱することと、
（ｄ）前記バイオマスに、超音波加熱、電磁（ＥＭ）加熱、対流加熱、伝導加熱、またはそれらの組み合わせを適用して、前記バイオマスを前記標的温度範囲に維持することと、
（ｅ）好ましくは（optionally）、処理されたバイオマスを洗浄することと、
（ｆ）糖、好ましくは（optionally）五炭糖および六炭糖、ならびに関連するタンパク質および放出リグニンを回収することとを含む方法。
【請求項２２】
前記バイオマスのｐＨを中性化するための、塩基、好ましくは（optionally）ＮａＯＨまたはＫＯＨの添加をさらに含む、請求項２１に記載の方法。
【請求項２３】
バイオマスを処理するためのシステムであって、
少なくとも１つの電磁（ＥＭ）炉と、
少なくとも１つのコンベヤベルトを備える移動プラットフォームであって、前記移動プラットフォームの第１の端部のコンベヤベルト上でバイオマスを受容して、電磁（ＥＭ）炉を通して前記バイオマスを移動させ、それによりイオン液体と組み合わせて高周波処理により前記バイオマスを処理するように構成され、好ましくは（optionally）、フィードバックシステムに連結されたセンサネットワークを備える、移動プラットフォームとを備えるシステム。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
基板上に金属をメッキするための方法であって、
ｉ．  基板と、基板への結合に適した官能化学基を有する少なくとも１つの付着基を有するナノメートルサイズの粒子を含む溶液とを接触させ、それによって、基板表面の少なくとも一部上で前記ナノメートルサイズの粒子の層を形成する工程、及びその後、
ｉｉ．  湿式化学メッキ法を適用して基板を金属メッキする工程
を含み、その際前記ナノメートルサイズの粒子の層が、基板表面とメッキした金属との間に残り、
前記少なくとも１つの付着基が、一般式（Ｉ）
【化１】
2015524878.tif 000001
［式中、Ｂは結合基であり、Ｌは連結基であり、かつＦＧは、官能化学基である］を有し、
前記結合基Ｂが、
１．  −Ｓｉ（Ｒ1Ｒ2）−  ［式中、Ｒ1及びＲ2は、互いに独立して、炭素原子１〜１２個を有するアルコキシ基、炭素原子１〜１２個を有するアルキル基、ハロゲン原子、及びナノメートルサイズの粒子から生じる酸素原子への結合及び／又は他の付着基を示す］又は
２．  −ＣＨ2−Ｒ3−、−ＣＯ−ＮＨ−、−ＣＯ−Ｏ−、非置換の又は置換されたアリール  ［式中、Ｒ3は、−ＣＨＯＨ−ＣＨ2−Ｏ−、−ＣＨＯＨ−ＣＨ2−；直鎖の、非置換の又は置換された炭素原子１〜５個を有する炭化水素基を示す］
を示す、前記方法。
【請求項２】
前記連結基Ｌが、直鎖の、非置換又は置換された、炭素原子１〜２０個を有する炭化水素基；環状の、非置換又は置換された、炭素原子３〜８個を有する炭化水素基；１つ以上の酸素原子及び／又はアミノ基で中断された直鎖又は環状の炭化水素基；１つ以上の二重結合又は三重結合を有する直鎖又は環状の炭化水素基；非置換又は置換されたアリール又はヘテロアリール、ホスホネート及びビピリジルを示す、請求項１に記載の方法。
【請求項３】
前記官能化学基ＦＧが、アミノ基、カルボニル基、カルボキシル基、エステル基、エポキシ基、メルカプト基、ヒドロキシル基、アクリル基、メタクリル基、無水物基、酸ハロゲン化物基、ハロゲン基、アリル基、ビニル基、スチレン基、アリール基、アセチレン基、アジド基、ウレイド基、窒素原子１〜３個を有する５〜６員環複素環式炭化水素基、イソニコチンアミジル、ビピリジル、ニトリル、イソニトリル及びチオシアネートである、請求項１又は２に記載の方法。
【請求項４】
前記ナノメートルサイズの粒子が、１つの材料のみを含むか、又は１つ以上の材料を含む、請求項１から３までのいずれか１項に記載の方法。
【請求項５】
前記材料が、無機酸化物、有機ポリマー及び金属から選択される、請求項４に記載の方法。
【請求項６】
前記無機酸化物が、１つ以上のシリカ、アルミナ、チタニア、ジルコニア、酸化スズ、酸化亜鉛、シリカゲル、酸化ケイ素を被覆したＴｉＯ2、Ｓｂ−ＳｎＯ2、Ｆｅ2Ｏ3、マグネタイト、インジウムスズオキシド（ＩＴＯ）、アンチモンドープ酸化スズ（ＡＴＯ）、酸化インジウム、酸化アンチモン、フッ素ドープ酸化スズ、リンドープ酸化スズ、アンチモン酸亜鉛及びインジウムドープ酸化亜鉛から選択される、請求項５に記載の方法。
【請求項７】
前記ナノメートルサイズの粒子が、無機酸化物を含む外表面を有する、請求項４から６までのいずれか１項に記載の方法。
【請求項８】
前記工程ｉ．における溶液との接触が、１〜２０分の時間で、１５〜８０℃の温度である、請求項１から７までのいずれか１項に記載の方法。
【請求項９】
前記方法工程ｉ．によるナノメートルサイズの粒子が、０．５ｇ／ｌ〜１００．０ｇ／ｌの範囲の濃度である、請求項１から８までのいずれか１項に記載の方法。
【請求項１０】
さらなる方法工程：
ｉａ．  １〜６０分の時間、６０〜４００℃の範囲の温度まで基板を加熱する工程
を、方法工程ｉ．の後に実施する、請求項１から９までのいずれか１項に記載の方法。
【請求項１１】
前記ナノメートルサイズの粒子が０．５〜５００ｎｍの平均直径ｄ50を有する、請求項１から１０までのいずれか１項に記載の方法。
【請求項１２】
基板への結合に適している前記付着基を、ナノメートルサイズの粒子の外表面に付着させる、請求項１から１１までのいずれか１項に記載の方法。
【請求項１３】
前記メッキした金属が、前記ナノメートルサイズの粒子の層上に残る、請求項１から１２までのいずれか１項に記載の方法。
【請求項１４】
前記湿式化学メッキ法が、電気メッキ法、浸漬メッキ法、又は無電解メッキ法である、請求項１から１３までのいずれか１項に記載の方法。
【請求項１５】
前記基板が、非導電性又は半導性基板であり、かつ
ｉｉ．  湿式化学メッキ法を適用して基板を金属メッキする工程
は、
ｉｉａ．  基板と貴金属コロイド又は貴金属イオン含有溶液とを接触させる工程
ｉｉｂ．  基板と無電解金属メッキ溶液とを接触させる工程、及び
ｉｉｃ．  基板と電解金属メッキ溶液とを接触させる工程
を含む、請求項１から１４までのいずれか１項に記載の方法。
【請求項１６】
前記基板が、非導電性又は半導電性基板であり、かつ次のさらなる方法工程：
ｉｃ．  基板を水溶性ポリマーと接触させる工程；
ｉｄ．  基板を過マンガン酸塩溶液で処理する工程；
ｉｅ．  基板を、少なくとも１つのチオフェン化合物、並びにメタンスルホン酸、エタンスルホン酸及びエタンジスルホン酸を含む群から選択される少なくとも１つのアルカンスルホン酸を含む水性ベースの酸性水溶液又は酸性マイクロエマルションで処理する工程；
を、工程ｉ．の前に実施し、かつ工程
ｉｉ．  湿式化学メッキ法を適用して基板を金属メッキする工程
は、
ｉｉｇ．  基板を、電解金属メッキ溶液と接触させる工程
を含む、請求項１から１５までのいずれか１項に記載の方法。
【請求項１７】
前記ナノメートルサイズの粒子が、それらの外表面上で反応性酸素基を含む、請求項１から３までのいずれか１項に記載の方法。
【請求項１８】
基板表面上で請求項１から１７に記載のナノメートルサイズの粒子の層及び金属層を有する基板。
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
断熱性能を向上させるために炭素系断熱性能向上材を含む、微細多孔質構造及び低密度を有する難燃性発泡体に加工可能な粒子状発泡性ポリマーであって、
ポリマー粒子は、前記断熱性能向上材として粒径が１μｍ未満の炭素を含み、難燃剤として臭素化ＳＢＳ（スチレン−ブタジエン−スチレン）を含む
ことを特徴とする粒子状発泡性ポリマー。
【請求項２】
Ｄ５０粒径が１μｍ以下であることを特徴とする請求項１に記載の粒子状発泡性ポリマー。
【請求項３】
Ｄ５０粒径が０．８μｍ以下であることを特徴とする請求項１又は２に記載の粒子状発泡性ポリマー。
【請求項４】
ポリマーは、ポリスチレン、発泡ポリプロピレン（ＥＰＰ）、発泡多孔質ポリエチレン（ＥＰＥ）、ポリフェニレンオキシド（ＰＰＯ）、ポリプロピレンオキシド、及びポリ乳酸、又はこれらの組合せを含む群から選択されることを特徴とする請求項１から３のいずれかに記載の粒子状発泡性ポリマー。
【請求項５】
粒径が０．１〜０．８μｍで、アスペクト比が１０：１以上で、平板状の炭素の構造を有する膨張黒鉛が炭素として使用されることを特徴とする請求項１から４のいずれかに記載の粒子状発泡性ポリマー。
【請求項６】
膨張黒鉛のアスペクト比が１００：１以上であることを特徴とする請求項５に記載の粒子状発泡性ポリマー。
【請求項７】
炭素の量が、粒子状発泡性ポリマーの量を基準として、１〜１５重量％であることを特徴とする請求項１から６のいずれかに記載の粒子状発泡性ポリマー。
【請求項８】
炭素の量が２〜８重量％であることを特徴とする請求項７に記載の粒子状発泡性ポリマー。
【請求項９】
粒径が０．１〜０．８μｍの膨張黒鉛は、炭素源の機械的せん断により得られることを特徴とする請求項５から８のいずれかに記載の粒子状発泡性ポリマー。
【請求項１０】
炭素の粒径の下限値は０．１μｍより大きいことを特徴とする請求項１から９のいずれかに記載の粒子状発泡性ポリマー。
【請求項１１】
前記臭素化ＳＢＳ（スチレン−ブタジエン−スチレン）は、ポリスチレン及び臭素化ポリブタジエンのブロック共重合体であることを特徴とする請求項１から１０のいずれかに記載の粒子状発泡性ポリマー。
【請求項１２】
臭素の重量百分率が、臭素化ＳＢＳ（スチレン−ブタジエン−スチレン）を基準として、６０〜７０重量％であることを特徴とする請求項１１に記載の粒子状発泡性ポリマー。
【請求項１３】
スチレンの重量百分率が、臭素化ＳＢＳ（スチレン−ブタジエン−スチレン）を基準として、３０〜５０重量％であることを特徴とする請求項１１又は１２に記載の粒子状発泡性ポリマー。
【請求項１４】
前記臭素化ＳＢＳ（スチレン−ブタジエン−スチレン）の分子量が、６００００〜１５００００であることを特徴とする請求項１１から１３のいずれかに記載の粒子状発泡性ポリマー。
【請求項１５】
臭素化ＳＢＳ（スチレン−ブタジエン−スチレン）の量が、前記粒子状発泡性ポリマーの総重量を基準として、０．７〜２．２重量％であることを特徴とする請求項１から１４のいずれかに記載の粒子状発泡性ポリマー。
【請求項１６】
ヘキサブロモシクロドデカン（ＨＢＣＤ）の量が、前記粒子状発泡性ポリマーの総重量を基準として、１．０重量％未満であることを特徴とする請求項１から１５のいずれかに記載の粒子状発泡性ポリマー。
【請求項１７】
ポリマーが押出機に供給され、少なくとも発泡剤、臭素化ＳＢＳ（スチレン−ブタジエン−スチレン）、粒径が１μｍ未満の炭素、及び１以上の他の所望の助剤と混合された後、押出され、冷却され、更に粒子に縮小されることを特徴とする請求項１から１６のいずれかに記載の粒子状発泡性ポリマーの生産方法。
【請求項１８】
モノマー、発泡剤、臭素化ＳＢＳ（スチレン−ブタジエン−スチレン）、及び粒径が１μｍ未満の炭素、及び１以上の他の所望の助剤が反応器内で重合され、後続のステップにおいてオプションで冷却され、更に粒子に縮小されることを特徴とする請求項１から１６のいずれかに記載の粒子状発泡性ポリマーの生産方法。
【請求項１９】
グラファイト、カーボンブラック、粉末アルミニウム、Ａｌ（ＯＨ）３、Ｍｇ（ＯＨ）２、Ａｌ２Ｏ３、鉄、亜鉛、銅、及びこれらの合金を含む群から選択された１以上の断熱性能向上材が前記助剤として更に添加されることを特徴とする請求項１７又は１８に記載の方法。
【請求項２０】
ポリホスホネート、ジフェニルホスホネート、ビスフェノールＡ−ビス（ジフェニルホスフェート）、及びレゾルシノール芳香族ポリホスフェート化合物、又はこれらの組合せを含む群から選択されたリン化合物が前記助剤として添加されることを特徴とする請求項１７から１９のいずれかに記載の方法。
【請求項２１】
請求項１から１６のいずれかに記載の粒子状発泡性ポリマー系のポリマー発泡材。
【請求項２２】
難燃剤として臭素化ＢＢＳ（スチレン−ブタジエン−スチレン）を含む、粒子状発泡性ポリマー系の難燃性発泡材の断熱性能向上のために、その中への、粒径が１μｍ未満の炭素の利用。
【請求項２３】
建設業における請求項２２に記載の利用。
【請求項２４】
包装業における請求項２２に記載の利用。
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
希少細胞の有無の検出方法であって、
（ａ）生物学的サンプルをフィルターに通し、そしてフィルター上の単離された希少細胞を回収することによって、希少細胞を単離又は抽出し；ここで前記フィルターは、希少細胞を保持するが、他の種類の細胞の通過を可能にする、孔サイズ、孔密度又は他の物理的特性を有し；
（ｂ）任意には、前記単離又は抽出された希少細胞を培養し；
（ｃ）任意には、前記単離又は抽出された希少細胞を、又は任意には、培養された希少細胞を固定するか又は染色し；
（ｄ）免疫標識により、及び／又はin situ分子分析により、及び／又は、希少細胞ＤＮＡ、ＲＮＡ及び／若しくはマイクロＲＮＡの分子分析により、及び／又は希少細胞タンパク質分子の分子分析により、（ａ）、（ｂ）又は（ｃ）からの単離又は抽出された希少細胞を分析することを含んで成る方法。
【請求項２】
前記生物学サンプルが、血液であるか、体液であるか、粘液であるか、又は粘膜から得られたサンプルである、請求項１に記載の方法。
【請求項３】
前記サンプルが、癌性状態を有するか又は有する疑いがある対象から得られるか、或いは、遺伝子疾患若しくは障害、又は炎症、変性、心血管及び感染性状態、障害若しくは疾患から成る群から選択される疾患を包含する、非癌性又は非腫瘍性状態若しくは障害を有する胎児を有する対象から得られる、請求項１又は２に記載の方法。
【請求項４】
前記生物学的サンプルが、癌、又は非癌性増殖性状態、障害又は疾患を有する対象から得られるか、あるいは癌を有する疑いがあるか、又は有する危険性がある対象から得られる、請求項１又は２に記載の方法。
【請求項５】
前記生物学的サンプルが、炎症性及び／又は変性状態、障害又は疾患を有するか、あるいは炎症性及び／又は変性状態、障害又は疾患を有する疑いがあるか、又は有する危険性がある対象から得られる；又は
前記生物学的サンプルが、心血管性状態、障害又は疾患を有するか、あるいは心血管性状態、障害又は疾患を有する疑いがあるか、又は有する危険性がある対象から得られる；又は
前記生物学的サンプルが、感染状態、障害又は疾患を有するか、あるいは感染状態、障害又は疾患を有する疑いがあるか、又は有する危険性がある対象から得られる、請求項１〜３の何れか１項に記載の方法。
【請求項６】
（ａ）生物学的サンプルをポリカーボネートフィルターに通すことにより希少細胞を単離又は抽出し、そしてポリカーボネートフィルター上のその単離又は抽出された希少細胞を回収することを含んで成るか、又は
（ａ）生物学的サンプルをＰＥＴ（ポリエチレンテレフタレート）フィルターに通すことにより希少細胞を単離又は抽出し、そしてＰＥＴ（ポリエチレンテレフタレート）フィルター上のその抽出又は単離された希少細胞を回収することを含んで成る、請求項１〜５の何れか１項に記載の方法。
【請求項７】
前記単離又は抽出された希少細胞が溶解され、そして（ｄ）前記溶解された希少細胞におけるＡＬＫ突然変異の有無を検出することを含んで成り、ここで前記工程がさらに、治療法の有効性を追跡し、又はＡＬＫ突然変異の有無に基づいて、治療法に対する耐性を検出することを包含し；
前記単離又は抽出された希少細胞が溶解され、そして（ｄ）前記溶解された希少細胞におけるＫ−ＲＡＳ及び／又はＥＧＦＲ突然変異の有無を検出することを含んで成り、ここで前記工程がさらに、治療法の有効性を追跡し、又はＫ−ＲＡＳ及び／又はＥＧＦＲ突然変異の有無に基づいて、治療法に対する耐性を検出することを包含し；
前記単離又は抽出された希少細胞が溶解され、そして（ｄ）前記溶解された希少細胞におけるＢ−ＲＡＦ及び／又はＨＥＲ２突然変異の有無を検出することを含んで成り、ここで前記工程がさらに、治療法の有効性を追跡し、又はＢ−ＲＡＦ及び／又はＨＥＲ２突然変異の有無に基づいて、治療法に対する耐性を検出することを包含し；又は
（ｄ）希少細胞の上皮から間葉への移行の状態を決定し；希少細胞が転移性又は侵襲性細胞に関連する遺伝子発現徴候を有するかどうかを決定するか；又は希少細胞が転移又は侵襲に関連する決定基を発現するかどうかを決定することにより、前記単離又は抽出された希少細胞を分析することを含んで成る、請求項１〜６のいずれか１項に記載の方法。
【請求項８】
希少細胞の分子特性に対する候補薬物又は候補治療の効果を評価し、そして薬物又は治療を付与しない対照と比較して、対象における希少細胞の数を減じる薬物又は治療を選択し、そして対照と比較して、希少細胞の相対数を減じるか、又は希少細胞の分子又は免疫学的特性を改変する薬物又は治療を選択することを含んで成る、請求項１〜７のいずれか１項に記載の方法。
【請求項９】
生物学的サンプルをフィルターに通して、そしてフィルター上の単離された希少細胞を回収することにより単離又は抽出された１又は２以上の希少細胞を含んで成る組成物であって、ここで前記フィルターは、希少細胞を保持するが、しかし他の種類の細胞の通過を可能にする、孔サイズ、孔密度又は他の物理的特性を有する、組成物。
【請求項１０】
体液から希少細胞を抽出又は単離するための１又は２以上のフィルター、
濾過の前に、体液を処理するための１又は２以上の緩衝液、希釈剤又は他の剤、
希少細胞が体液から抽出又は単離された後に、その希少細胞を懸濁し、洗浄し、又は処理するための１又は２以上の緩衝液、
フィルターから単離又は抽出された希少細胞を、異なった支持体上にトランスファーするための１又は２以上のトランスファー緩衝液、
１又は２以上の細胞形態及び／又は細胞化学染色試薬又は他の細胞染料、又はそのための緩衝液、
希少細胞を免疫標識するための１又は２以上の抗体又は他の試薬、又はそのための緩衝液、
フィルター又は他の支持体上の希少細胞のin situ分析のための１又は２以上の試薬、
希少細胞を溶解するための１又は２以上の溶解剤又は溶解緩衝液、
希少細胞タンパク質の分子分析のための１又は２以上の抗体又は他の試薬、又はそのための緩衝液、
ＰＣＲを包含する、希少細胞核酸の分子分析のための１又は２以上のプローブ、プライマー、ヌクレオチド、酵素又は他の試薬、
の少なくとも１つを含んで成るキット。
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
ガン患者における抗血管新生療法に対する応答及び抗血管新生療法後の生存についての予知バイオマーカーとしてのマトリクスメタロプロテイナーゼ-２(MMP2)の使用。
【請求項２】
前記抗血管新生療法が血管内皮増殖因子(VEGF)経路を標的する薬剤を用いる請求項１に記載の使用。
【請求項３】
前記薬剤が抗VEGF抗体である請求項２に記載の使用。
【請求項４】
前記薬剤がVEGFレセプターチロシンキナーゼインヒビターである請求項２に記載の使用。
【請求項５】
前記ガンがVEGF過剰発現に関連する請求項１〜４のいずれか１項に記載の使用。
【請求項６】
前記ガンが神経膠芽腫、乳ガン、結腸ガン、肺ガン、肝臓ガン、腎臓ガン、膵臓ガン、甲状腺ガン、卵巣ガンからなる群より選択される請求項５に記載の使用。
【請求項７】
患者の生物学的サンプルにおける抗血管新生治療前のMMP2レベルを測定する工程を含んでなり、該サンプル中のMMP2レベルが参照値と比較して高いことが、前記患者の前記抗血管新生治療に対する応答及び該治療後の生存を示す、ガン患者の抗血管新生治療に対する応答及び該治療後の生存の予知を補助するデータの取得方法。
【請求項８】
前記生物学的サンプルが生物学的流体又は生検による腫瘍細胞若しくは組織である請求項７に記載の方法。
【請求項９】
前記生物学的流体が血清、血漿又は尿である請求項８に記載の方法。
【請求項１０】
前記MMP2がMMP2タンパク質である請求項７〜９のいずれか１項に記載の方法。
【請求項１１】
前記MMP2がMMP2 mRNAである請求項７又は８に記載の方法。
【請求項１２】
イムノアッセイを用いてMMP2タンパク質レベルを測定することを含んでなる請求項７〜１０のいずれか１項に記載の方法。
【請求項１３】
核酸アレイベースのアッセイ、組織マイクロアレイベースのアッセイ又は定量的逆転写ポリメラーゼ連鎖反応アッセイを用いてMMP2 mRNAレベルを測定することを含んでなる請求項７、８又は１１に記載の方法。
【請求項１４】
測定工程の後に、前記生物学的サンプル中のMMP2レベルに基づいてガン患者を応答性患者又は非応答性患者に選別する更なる工程を含んでなる請求項１〜１３のいずれか１項に記載の方法。
【請求項１５】
患者の生物学的サンプルにおけるMMP2レベルを抗血管新生治療期間中の２以上の時点で測定することを含んでなり、より早期の時点で得られた参照値と比較して、より後期の時点での前記サンプル中のMMP2レベルが等しいか又は高いことが、抗血管新生治療に対する延長した応答を示す一方、MMP2レベルが低いことは前記抗血管新生療法に対する抵抗性を示す、ガン患者の抗血管新生治療に対する応答をモニターする方法。